(57)【要約】【課題】顧客にインターネット環境を強いず、店頭注文でホームページ作成／更新の発注を行うことができる店頭受注のホームページ作成サービス受注システムを提供する。【解決手段】顧客が開設したいホームページの希望内容が申し込み用紙に記入される。販売店の情報端末２はシステムサーバー１上の管理ウェブサイト１１にアクセスし、希望ドメイン名が取得可能であるかどうかが照合される。希望ドメインが取得可能である場合に申し込み番号が発行される。申し込み用紙はサービス提供会社に送付され、申し込み内容と前記発注内容情報とに従いサービス提供会社の情報端末３からホームページが作成されインターネット上に開設される。顧客にはホームページの管理ページへのログインIDとパスワードとが発行される。【選択図】図１
2007193684.tif 000002
【特許請求の範囲】
【請求項１】
顧客が開設したいホームページの希望内容が申し込み用紙に記入され、
販売店の情報端末がシステムサーバー上の管理ウェブサイトにアクセスし、前記ホームページの希望ドメイン名の希望ドメイン名情報が前記情報端末から入力されて前記システムサーバーに送信され、該システムサーバーにおいて前記希望ドメイン名が取得可能であるかどうかが照合されて照合結果情報が前記情報端末に送信され、前記希望ドメイン名が取得可能である場合に前記顧客の顧客情報と発注内容情報とが前記情報端末から前記システムサーバーに送信され、該システムサーバーによって申し込み番号が発行され、該申し込み番号が前記申し込み用紙に追記され、前記顧客に前記申し込み用紙の控えが渡され、前記申し込み用紙はサービス提供会社に送付され、申し込み内容と前記発注内容情報とに従い前記サービス提供会社の情報端末から前記ホームページが作成されインターネット上に開設され、前記顧客には前記ホームページの管理ページへのログインIDとパスワードとが発行される、店頭受注のホームページ作成サービス受注システム。
【請求項２】
前記顧客が前記ホームページを更新又は修正したい更新修正内容が申し込み用紙に記入され、
前記販売店の店頭にて前記顧客の本人確認が行われた後に、前記販売店の情報端末にて前記ウェブサイトが閲覧され、該ウェブサイトで前記顧客のホームページのドメインと前記顧客情報とが照合され、更新修正依頼情報が前記情報端末から前記システムサーバーに送信され、該システムサーバーによって前記申し込み番号が発行され、該申し込み番号が前記申し込み用紙に追記され、前記顧客に前記申し込み用紙の控えが渡され、前記申し込み用紙は前記サービス提供会社に送付され、前記更新修正内容に従い前記サービス提供会社の情報端末から前記ホームページが更新又は修正される、請求項１に記載の店頭受注のホームページ作成サービス受注システム。
【請求項３】
前記管理ページは、前記顧客の情報端末から前記顧客が前記ログインID及びパスワードを送信することでログイン可能であり、前記管理ページは前記顧客のホームページの情報配信ページを管理しており、前記顧客の情報端末から入力されたテキスト等の情報が送信されることで前記情報配信ページが更新され、更新日が新しい順番に更新内容が前記情報配信ページに表記されることを特徴とする請求項１又は２に記載の店頭受注のホームページ作成サービス受注システム。
【請求項４】
前記ホームページのトップページは、対角線状に配された２つの画像を有して４分割された構成であり、前記顧客が前記２つの画像を選択可能であることを特徴とする請求項１乃至３のいずれかに記載の店頭受注のホームページ作成サービス受注システム。
【請求項５】
前記販売店の情報端末又は前記顧客にホームページ公開IDとホームページ公開パスワードとが付与され、前記販売店の情報端末又は前記顧客の情報端末から前記ホームページ公開IDと前記ホームページ公開パスワードとを用いて前記システムサーバー上のホームページ公開ページにログインすることで前記ホームページがインターネット上に公開開始されることを特徴とする請求項１乃至４のいずれかに記載の店頭受注のホームページ作成サービス受注システム。
【請求項６】
顧客が開設したいホームページの希望内容が申し込み用紙に記入される申し込み内容記入工程と、
販売店で前記ホームページの希望ドメイン名の希望ドメイン名情報が取得可能であるかどうかがシステムサーバーに照合されて前記希望ドメイン名が取得可能である場合に前記顧客の顧客情報と発注内容情報とが前記システムサーバーに送信されるドメイン照合工程と、
前記システムサーバーによって申し込み番号が発行される申し込み番号発行工程と、
前記申し込み番号が前記申し込み用紙に追記され、前記顧客に前記申し込み用紙の控えが渡される販売店店頭工程と、
前記申し込み用紙がサービス提供会社に送付され、申し込み内容と前記発注内容情報とに従い前記サービス提供会社の情報端末により前記ホームページが作成されてインターネット上に開設されるホームページ開設工程と、
前記顧客には前記ホームページの管理ページへのログインIDとパスワードとが発行される手続終了工程とを具備する、店頭受注のホームページ作成サービス受注方法。
【請求項７】
前記顧客が前記ホームページを更新又は修正したい更新修正内容が申し込み用紙に記入される更新修正内容記入工程と、
前記販売店の店頭にて前記顧客の本人確認が行われた後に、前記ホームページのドメインと前記顧客情報とが照合される本人照合工程と、
前記システムサーバーによって前記申し込み番号が発行される申し込み番号発行工程と、
前記申し込み番号が前記申し込み用紙に追記され、前記顧客に前記申し込み用紙の控えが渡される販売店店頭工程と、
前記申し込み用紙が前記サービス提供会社に送付され、前記更新修正内容に従い前記サービス提供会社により前記ホームページが更新又は修正される更新修正工程とを具備する請求項６に記載の店頭受注のホームページ作成サービス受注方法。
【請求項８】
前記販売店の情報端末又は前記顧客にホームページ公開IDとホームページ公開パスワードとが付与され、前記販売店の情報端末又は前記顧客の情報端末から前記ホームページ公開IDと前記ホームページ公開パスワードとを用いて前記システムサーバー上のホームページ公開ページにログインすることで前記ホームページがインターネット上に公開開始されることを特徴とする請求項６又は７に記載の店頭受注のホームページ作成サービス受注方法。
【発明の詳細な説明】
【技術分野】
【０００１】
本発明は、特に店頭受注のホームページ作成サービス受注システムに関する。
【背景技術】
【０００２】
インターネットの普及に伴い、情報を発信する者にとってホームページ開設は従来よりさらに一般的となっている。社会からも情報発信者にはホームページを開設して欲しいという要求が高まっている。しかし、依然としてホームページ作成／更新は技術的にも工程的にも煩雑さや難解さが伴い、ホームページ開設希望者が単独で開設することは困難なため、ホームページ作成／更新の代行サービスが普及している。
【０００３】
例えば、特許文献１及び特許文献２に記載の発明においては、インターネットでのアクセスを利用してホームページ作成の支援や受注を行うことができるようにしたシステムやプログラムが開示されている。
【特許文献１】特開２００４−６２７１１号公報
【特許文献２】特開２００４−３０２７６０号公報
【発明の開示】
【発明が解決しようとする課題】
【０００４】
しかし、こうしたホームページ作成支援システムや一般の有料ホームページ作成サービスは、ネット上の商材はネット上で売る、という販売形態のためインターネット上での発注を中心としている。従って、インターネット初心者、技術的知識のない中高齢者や事業主にとっては、ホームページ開設への意識はあるものの、依然として発注しづらいという問題点があった。
本発明は、このような状況に鑑みてなされたものであり、上記問題点を解決できる店頭受注のホームページ作成サービス受注システムを提供することを目的とする。
【課題を解決するための手段】
【０００５】
本発明は上記課題を解決すべく、以下に掲げる構成とした。
請求項１記載の発明の要旨は、顧客が開設したいホームページの希望内容が申し込み用紙に記入され、
販売店の情報端末がシステムサーバー上の管理ウェブサイトにアクセスし、前記ホームページの希望ドメイン名の希望ドメイン名情報が前記情報端末から入力されて前記システムサーバーに送信され、該システムサーバーにおいて前記希望ドメイン名が取得可能であるかどうかが照合されて照合結果情報が前記情報端末に送信され、前記希望ドメイン名が取得可能である場合に前記顧客の顧客情報と発注内容情報とが前記情報端末から前記システムサーバーに送信され、該システムサーバーによって申し込み番号が発行され、該申し込み番号が前記申し込み用紙に追記され、前記顧客に前記申し込み用紙の控えが渡され、前記申し込み用紙はサービス提供会社に送付され、申し込み内容と前記発注内容情報とに従い前記サービス提供会社の情報端末から前記ホームページが作成されインターネット上に開設され、前記顧客には前記ホームページの管理ページへのログインIDとパスワードとが発行される、店頭受注のホームページ作成サービス受注システムに存する。
請求項２記載の発明の要旨は、前記顧客が前記ホームページを更新又は修正したい更新修正内容が申し込み用紙に記入され、
前記販売店の店頭にて前記顧客の本人確認が行われた後に、前記販売店の情報端末にて前記ウェブサイトが閲覧され、該ウェブサイトで前記顧客のホームページのドメインと前記顧客情報とが照合され、更新修正依頼情報が前記情報端末から前記システムサーバーに送信され、該システムサーバーによって前記申し込み番号が発行され、該申し込み番号が前記申し込み用紙に追記され、前記顧客に前記申し込み用紙の控えが渡され、前記申し込み用紙は前記サービス提供会社に送付され、前記更新修正内容に従い前記サービス提供会社の情報端末から前記ホームページが更新又は修正される、請求項１に記載の店頭受注のホームページ作成サービス受注システムに存する。
請求項３記載の発明の要旨は、前記管理ページは、前記顧客の情報端末から前記顧客が前記ログインID及びパスワードを送信することでログイン可能であり、前記管理ページは前記顧客のホームページの情報配信ページを管理しており、前記顧客の情報端末から入力されたテキスト等の情報が送信されることで前記情報配信ページが更新され、更新日が新しい順番に更新内容が前記情報配信ページに表記されることを特徴とする請求項１又は２に記載の店頭受注のホームページ作成サービス受注システムに存する。
請求項４記載の発明の要旨は、前記ホームページのトップページは、対角線状に配された２つの画像を有して４分割された構成であり、前記顧客が前記２つの画像を選択可能であることを特徴とする請求項１乃至３のいずれかに記載の店頭受注のホームページ作成サービス受注システムに存する。
請求項５記載の発明の要旨は、前記販売店の情報端末又は前記顧客にホームページ公開IDとホームページ公開パスワードとが付与され、前記販売店の情報端末又は前記顧客の情報端末から前記ホームページ公開IDと前記ホームページ公開パスワードとを用いて前記システムサーバー上のホームページ公開ページにログインすることで前記ホームページがインターネット上に公開開始されることを特徴とする請求項１乃至４のいずれかに記載の店頭受注のホームページ作成サービス受注システムに存する。
請求項６記載の発明の要旨は、顧客が開設したいホームページの希望内容が申し込み用紙に記入される申し込み内容記入工程と、
販売店で前記ホームページの希望ドメイン名の希望ドメイン名情報が取得可能であるかどうかがシステムサーバーに照合されて前記希望ドメイン名が取得可能である場合に前記顧客の顧客情報と発注内容情報とが前記システムサーバーに送信されるドメイン照合工程と、
前記システムサーバーによって申し込み番号が発行される申し込み番号発行工程と、
前記申し込み番号が前記申し込み用紙に追記され、前記顧客に前記申し込み用紙の控えが渡される販売店店頭工程と、
前記申し込み用紙がサービス提供会社に送付され、申し込み内容と前記発注内容情報とに従い前記サービス提供会社の情報端末により前記ホームページが作成されてインターネット上に開設されるホームページ開設工程と、
前記顧客には前記ホームページの管理ページへのログインIDとパスワードとが発行される手続終了工程とを具備する、店頭受注のホームページ作成サービス受注方法に存する。
請求項７記載の発明の要旨は、前記顧客が前記ホームページを更新又は修正したい更新修正内容が申し込み用紙に記入される更新修正内容記入工程と、
前記販売店の店頭にて前記顧客の本人確認が行われた後に、前記ホームページのドメインと前記顧客情報とが照合される本人照合工程と、
前記システムサーバーによって前記申し込み番号が発行される申し込み番号発行工程と、
前記申し込み番号が前記申し込み用紙に追記され、前記顧客に前記申し込み用紙の控えが渡される販売店店頭工程と、
前記申し込み用紙が前記サービス提供会社に送付され、前記更新修正内容に従い前記サービス提供会社により前記ホームページが更新又は修正される更新修正工程とを具備する請求項６に記載の店頭受注のホームページ作成サービス受注方法に存する。
請求項８記載の発明の要旨は、前記販売店の情報端末又は前記顧客にホームページ公開IDとホームページ公開パスワードとが付与され、前記販売店の情報端末又は前記顧客の情報端末から前記ホームページ公開IDと前記ホームページ公開パスワードとを用いて前記システムサーバー上のホームページ公開ページにログインすることで前記ホームページがインターネット上に公開開始されることを特徴とする請求項６又は７に記載の店頭受注のホームページ作成サービス受注方法に存する。
【発明の効果】
【０００６】
本発明の店頭受注のホームページ作成サービス受注システムは、顧客にインターネット環境を強いず、店頭注文でホームページ作成／更新の発注を行うことができるシステムを提供できるため、ホームページを開設したいインターネット初心者、技術的知識のない中高齢者や事業主といった潜在顧客に対して、容易にホームページ開設／更新を発注する機会を創出することが出来る、という顕著な効果を奏する。
【発明を実施するための最良の形態】
【０００７】
以下に、図を参照しつつ本発明の実施形態を詳細に説明する。
図１に示すように、本実施形態の店頭受注のホームページ作成サービス受注システムは、システムサーバー１、システムサーバー１上に公開されている管理ウェブサイト１１、販売店の情報端末２、サービス提供会社の情報端末３、顧客の情報端末４、システムサーバー１および各情報端末を接続するネットワーク５を少なくとも含んで構成される。ネットワーク５はインターネットを含んで構成されるが、構成にイントラネットや専用線を含んでいても良い。本実施形態の店頭受注のホームページ作成サービス受注システムにおいて作成、開設される顧客のホームページは、システムサーバー１上に開設されても良いが、システムサーバー１とは別にホームページ公開用のサーバーを設け、そこに開設するように構成しても良い。また、管理用ウェブサイト１１は、販売店ログイン用、顧客への納品確認／ＨＰ公開開始確認用など、それぞれに複数のアクセスできる入口が別途設けられていても良い。
【０００８】
本実施形態の店頭受注のホームページ作成サービス受注システムのフローについて、図２を参照しつつ詳細に説明する。ホームページ作成を依頼する顧客は、図３に一例を示すようなオーダー用紙に必要事項を記入する（S1  申し込み内容記入工程）。オーダー用紙は、図３に示す会社概要ページ指定用紙の他に、御注文書、トップページ指定用紙、サービス内容ページ指定用紙、プライバシーポリシーページ指定用紙、などが含まれて構成される。このオーダー用紙の構成は、必要に応じて適宜変更されても良い。御注文書には、顧客の個人情報、開設するホームページの希望アドレス等が記載される。図３に示す会社概要ページ指定用紙のような各指定用紙には、顧客が開設したいホームページの具体的内容が記載される。具体的内容とは、図３に示すように、ホームページのタイトル、キャッチコピー、トップページに表示する本文、各メニューのタイトル及び挨拶文などの見出し文章といった文字原稿と、トップページに貼付する写真原稿の選択や、問い合わせ先メールアドレスなどの情報を含む、顧客のホームページを構成するのに必要な情報である。顧客のオーダー用紙への記載は、販売店の店員の誘導のもとで販売店店頭にて記載されても良いし、また顧客がオーダー用紙を持ち帰り、記載後のオーダー用紙を店頭に持ち込むようにしても良い。
【０００９】
顧客によって記載されたオーダー用紙は、販売店店頭に持ち込まれる。ここで、顧客の希望するホームページアドレス名が新規に取得可能であるかどうかを、販売店において確認する作業を行う（S2〜S5）。まず、販売店の情報端末２からネットワーク５を介してシステムサーバー１上の管理ウェブサイト１１にアクセスする（S2）。この管理ウェブサイト１１のログイン画面は、一般的なユーザーIDとパスワードを必要とする認証を行うサイトと同じように、SSLなどのセキュアなページであって、認証用のIDやパスワードといった認証情報を入力するフォームが設置されていればどのようなものでも良く、アクセスに際してはログイン画面においてIDとパスワードによって認証が行われる。IDとパスワードは、予めサービス提供会社から販売店に発行されているものが使用される。
【００１０】
ログインが完了した後、販売店の情報端末２には図２に示すようにメニュー画面が表示される。新規申し込みの場合には、ドメインチェックが選択され、ドメインチェックのページへ誘導される（S3）。
【００１１】
ドメインチェック画面は、顧客の希望するホームページアドレス名を入力するための入力フォームが設けられた構成となっており、この入力部分に顧客が希望するホームページアドレス名を入力し、チェックボタンをクリックすることでシステムサーバー１に希望アドレス名を送信して、この希望アドレス名が取得可能であるかどうかを照会する（S4）。既に当該アドレス名が取得されている場合は、重複アドレスが既に取得されている旨の照合結果情報が画面に表示されるため、販売店店頭で顧客に対して別の希望アドレスを尋ねることとなる。顧客の希望するホームページアドレス名が取得可能である場合は、図２に示すようにドメイン登録画面が表示される。このドメイン登録画面には、上記のとおり入力フォームから入力され、システムサーバー１によって当該アドレス名が取得可能であると判定された、顧客の希望するホームページアドレス名が表示される。このドメイン登録画面で登録ボタンをクリックすることで、システムサーバー１において当該ホームページアドレス名のドメインが確保される（S5  ドメイン照合工程）。このドメイン登録においては、ドメイン登録画面を顧客に見せて再度確認を取った上で、登録が行われることが好ましい。
【００１２】
ドメイン登録後、販売店の情報端末２には発注フォーム画面が表示される。この発注フォーム画面は一般的なインターネット通信販売サイトの発注フォームのように各種入力フォームが設けられており、顧客氏名や連絡先などの入力フォームが用意されていれば良い。各フォームに、オーダー用紙を参照しつつ記載されている顧客情報などを入力し、確認ボタンをクリックすることで入力内容がシステムサーバー１に送信される（S6）。
【００１３】
フォーム入力を行い入力内容をシステムサーバー１に送信すると、販売店の情報端末２には発注内容確認画面が表示される（S7）。この発注内容確認画面には、上述した発注フォーム画面での入力結果と顧客が希望し取得可能なホームページアドレス名とが一覧として表示されていることが好ましい。ここで発注内容の最終確認を行い、問題ないようなら発注ボタンをクリックすることで表示内容である顧客情報と発注内容情報とが販売店の情報端末２からシステムサーバー１に送信される。
【００１４】
顧客情報と発注内容情報とがシステムサーバー１に送信されると、システムサーバー１によって申し込み番号が発行される。申し込み番号によって、販売店、サービス提供会社、および顧客は、今回の発注について照会することができる。この申し込み番号は、販売店の情報端末２に発注完了画面として表示される（S8）。販売店では、この発注完了画面に表示された申し込み番号が顧客によって記入されたオーダー用紙に追記され、オーダー用紙の控えが顧客に渡される。
【００１５】
システムサーバー１は、販売店の情報端末２から入力された内容である顧客情報と発注内容情報とをサービス提供会社の情報端末３にオーダーメールとして送信する（S9）。このオーダーメールとは別に、顧客から販売店店頭で預かった写真や手書きオーダー用紙は別途サービス提供会社に郵送される。サービス提供会社は、受信したオーダーメールと受け取った手書きのオーダー用紙とを参照し、受注したホームページを作成する。作成が完了した後、サービス提供会社から販売店に納品用キット一式が送付される。納品用キット一式とは、ホームページのデータがコピーされたバックアップ用のメディア（CD-ROM等）、サポート用の冊子、後に詳述する管理ページへのログインIDとパスワード発行証、顧客の希望に応じて追加で申し込みができるメタタグ用キーワードとタイトル分の依頼書、およびオプションカタログ等から構成されている。顧客が販売店に再度来店し、この納品用キット一式が顧客に渡された後に、顧客のホームページがインターネット上に公開される。この納品用キット一式が顧客に渡された時点で「納品完了」とする。また、顧客がホームページコンテンツを他のサーバーに移行する際には、納品用キット一式に含まれるバックアップ用メディアからコンテンツを移行すれば良い。
【００１６】
この納品の際に、同時にホームページ公開IDとホームページ公開パスワードとを顧客に渡し、顧客の情報端末４からこのホームページ公開IDとホームページ公開パスワードとでシステムサーバー１上のホームページ公開ページにログインすることで「納品完了」とし、ホームページの公開開始を行うようにしても良い。また、上記のホームページ公開IDとホームページ公開パスワードとによるログインは、顧客が行うことに限定されず、例えば販売店の情報端末２にサービス提供会社からホームページ公開IDとホームページ公開パスワードとを送り、顧客のかわりに販売店の店員が販売店の情報端末２からログインを行うことでホームページの公開開始すなわち「納品完了」としても良い。いずれの場合においても、ログイン画面は例えば管理ウェブサイト１１のログイン画面や一般的な会員制通信販売サイトのようなIDとパスワードの入力を求める画面であればどのようなものであっても良い。
【００１７】
次に、作成されたホームページの更新や修正を顧客が依頼する場合のフローについて図２を参照しつつ説明する。ホームページ作成依頼の際と同様に、顧客はまず図２〜図６のようなオーダー用紙に更新／修正したい内容を記載し、販売店店頭にオーダー用紙を持参する（S1  更新修正内容記入工程）。販売店では、IDとパスワードを使ってシステムサーバー１上の管理ウェブサイト１１にアクセスする（S2）。この管理ウェブサイト１１のメニュー画面において、更新依頼の際は更新修正依頼の方を選択し更新修正依頼画面へと誘導される（S3'）。更新修正依頼画面では、顧客のホームページのドメイン名が入力され、ドメイン名によって顧客を検索する（S4'）。検索結果から、顧客についてシステムサーバー１に登録されている顧客情報が画面に表示される（S5'  顧客情報画面）。ここで表示される内容を使って本人確認を行うことができる（S4'〜S5'  本人照合工程）。本人確認が取れた後、更新修正確認画面に誘導される（S6'）。ここで、申し込み内容に問題がなければ、顧客の注文内容である更新修正依頼情報がシステムサーバー１に送信される。システムサーバー１では申し込み番号が発行され、販売店の情報端末２に表示される発注完了画面にもこの申し込み番号が表示される（S8）。この後の流れはホームページ作成の際とほぼ同じである。販売店では、この発注完了画面に表示された申し込み番号が顧客によって記入されたオーダー用紙に追記され、オーダー用紙の控えが顧客に渡される。システムサーバー１は、販売店の情報端末２から入力された内容である顧客情報と発注内容情報とをサービス提供会社の情報端末３にオーダーメールとして送信する（S9）。このオーダーメールとは別に、顧客から販売店店頭で預かった写真や手書きオーダー用紙は別途サービス提供会社に郵送される。サービス提供会社は、受信したオーダーメールと受け取った手書きのオーダー用紙とを参照し、受注したホームページ更新／修正内容の作業を行う。作業が完了した後、サービス提供会社から販売店に納品用品が送付される。納品用品とは、ホームページの更新／修正データがコピーされたバックアップ用のメディア（CD-ROM等）およびオプションカタログ等から構成されている。顧客が販売店に再度来店し、この納品用品が顧客に渡された後に、ホームページの更新／修正内容がインターネット上に公開される。
【００１８】
この納品の際に、ホームページ作成の時と同じように、同時にホームページ公開IDとホームページ公開パスワードとを顧客に渡し、顧客の情報端末４からこのホームページ公開IDとホームページ公開パスワードとでシステムサーバー１上のホームページ公開ページにログインすることで「納品完了」とし、ホームページの更新／修正内容の公開開始を行うようにしても良い。また、上記のホームページ公開IDとホームページ公開パスワードとによるログインは、顧客が行うことに限定されず、例えば販売店の情報端末２にサービス提供会社からホームページ公開IDとホームページ公開パスワードとを送り、顧客のかわりに販売店の店員が販売店の情報端末２からログインを行うことでホームページの更新／修正内容の公開開始すなわち「納品完了」としても良い。いずれの場合においても、ログイン画面はホームページ作成の際と同様に、例えば管理ウェブサイト１１のログイン画面や一般的な会員制通信販売サイトのようなIDとパスワードの入力を求める画面であればどのようなものであっても良い。
【００１９】
本実施形態において開設されるホームページの全体は、定型構成となっている。例えば、トップページ、ご案内（会社概要）ページ、サービス内容ページ、インフォメーション、プライバシーポリシー、ブログおよびオンラインショッピング、お問い合わせページからなる、標準ページ５ｐ＋リンク先２ｐの構成のような定型構成となっている。このような定型構成とすることで、顧客にとって理解しやすく、価格体系を明確にすることができる。
【００２０】
本実施形態において開設されるホームページは、図５に例示するようなトップページの構成を有していることを特徴とする。すなわち、トップページがより個性的に演出されるよう、画面構成を４分割化し、１つの対角上に文章とロゴマークとを配置し、もう１つの対角上にある２ブロックに写真を交差して挿入できるレイアウトを採用している。配置する写真のバリエーションは定期的に更新され、顧客の持ちこんだ写真を貼付可能としたり、期間限定の写真などを準備することによって、トップページのバリエーションが更に広がり、サイトイメージの独自性が生まれる。
【００２１】
本実施形態でのご案内（会社概要）ページは、以下に説明するような構成になっている。すなわち、メニュー項目がトップページのヘッダーカラーと同色になっていて統一感が取れるようになっている。ページ内容は、メニュー、項目タイトル、トップページの写真のトリミングされたもの、顧客の希望する任意の文章、所在地を示すための地図ウェブサイトなどへのリンク、顧客の提供する写真、などから構成される。
【００２２】
サービス内容ページは、以下に説明するような構成になっている。すなわち、ご案内（会社概要）ページと同様にトップページのヘッダーカラーと同色のメニュー、項目タイトル、トップページの写真のトリミングされたもの、顧客の希望する任意の文章、顧客の提供する写真、写真の説明文章、などから構成される。
【００２３】
サービス内容ページについては、更に詳細ページをオプションで設定することも可能である。オプションの詳細ページは、任意の写真＋説明文、あるいはタイトル文章と写真の列記といった形式となる。
【００２４】
インフォメーションページは、以下に説明するような構成となっており情報配信ページとなっている。トップページのヘッダーカラーと同色のメニュー、項目タイトル、そしていわゆる一般的なブログなどに見られるように顧客が顧客の情報端末４からアクセスする管理ページから書き込んだ内容を新しい順に表示する部分から構成されている。この書き込み内容表示部分については、納品時に顧客に渡されるIDとパスワードで、この情報配信ページを管理する管理ページへログインできるようになっており、この管理ページで書き込んだ内容が更新が新しい順にインフォメーションページに表示されるようになっており、簡単な情報配信ページの機能を有している。この情報配信ページで顧客が配信できる情報は文字データのみに限らず、例えば写真や動画ファイルといった、ホームページを利用して配信できる情報であれば、どのようなものであっても良い。
【００２５】
プライバシーポリシーのページは、トップページのヘッダーカラーと同色のメニュー、項目タイトル、プライバシーポリシーについての文章から構成される。文章には、顧客の名称が入り、顧客の名においての文章となる。
【産業上の利用可能性】
【００２６】
本発明の店頭受注のホームページ作成サービス受注システムは、顧客にインターネット環境を強いず、店頭注文でホームページ作成／更新の発注を行うことができるシステムを提供できるため、ホームページを開設したいインターネット初心者、技術的知識のない中高齢者や事業主といった潜在顧客に対して、容易にホームページ開設／更新を発注する機会を創出し、ホームページによる情報発信の機会を広く普及させることに大きく寄与できる。
【図面の簡単な説明】
【００２７】
【図１】本発明ののシステム概略図
【図２】本発明の店頭受注のホームページ作成サービス受注システムのフロー
【図３】オーダー用紙（トップページ指定用紙）の例示図
【図４】本発明の実施形態において作成されるホームページのトップページの例示図
【図５】本発明の実施形態におけるトップページの構成ルール説明図
【符号の説明】
【００２８】
１    システムサーバー
１１  管理ウェブサイト
２    販売店の情報端末
３    サービス提供会社の情報端末
４    顧客の情報端末
５    ネットワーク
【図１】
2007193684.tif 000003
【図２】
2007193684.tif 000004
【図３】
2007193684.tif 000005
【図４】
2007193684.tif 000006
【図５】
2007193684.tif 000007